(57)【要約】【課題】大型の図柄表示装置等を配設可能にすると共に、球タンクに貯留されている遊技球をタンクレールへ排出する開口部付近での球詰まりを抑制する遊技機を提供する。【解決手段】遊技機は、遊技球を貯留する球タンク１３２と、遊技球を球タンク１３２から排出する開口部１５６と、球タンク１３２から開口部１５６を介して排出された遊技球を開口部１５６の下方位置において受け止めるタンクレール１３３と、球タンク１３２の一部を遊技機後方へ突出させて形成されるとともに開口部１５６の少なくとも一部が配置されている突出部１５５と、開口部１５６の上方空間の少なくとも一部について開口部１５６よりも上方への遊技球の連続した積み重なりを所定レベルに規制する規制部１８１と、を備えている。規制部１８１によって、開口部１５６付近の遊技球にかかる荷重が低減されている。【選択図】      図１７
2014131573.tif 000002
【特許請求の範囲】
【請求項１】
遊技機背面側に設けられるとともに上方が開放され、底部と当該底部の周囲に立設された側壁部とによって形成された領域に遊技球を貯留する球タンクと、
遊技球を前記球タンクから排出する開口部へ向けて下り傾斜させることにより前記球タンクに貯留されている遊技球を前記開口部へ誘導するものであって、前記球タンクの前記底部に形成された傾斜部と、
前記球タンクから前記開口部を介して排出された遊技球を当該開口部の下方位置において受け止めるとともに、当該遊技球を所定方向へ誘導する誘導通路部と、
前記球タンクの一部を遊技機後方へ突出させて形成されるとともに、前記開口部の少なくとも一部が配置されている突出部と、
前記開口部の上方空間の少なくとも一部について当該開口部よりも上方への遊技球の連続した積み重なりを、前記球タンクの前記側壁部の上端部よりも下方に規制する規制部と、
を備え、
前記規制部における遊技機前方側の端部は、前記開口部における遊技機前方側の端部に対して遊技機後方側に配置されており、
前記規制部における遊技機前方側の端部と前記開口部における遊技機前方側の端部との遊技機前後方向の距離は遊技球１個の直径未満であることを特徴とする遊技機。
【発明の詳細な説明】
【技術分野】
【０００１】
本発明は、遊技機に関するものである。
【背景技術】
【０００２】
例えば遊技機の一種であるパチンコ機は、表示画面に複数の図柄等を変動表示する図柄表示装置を備えている場合がある。図柄表示装置は、遊技領域に設けられた所定の作動口への入賞を契機として図柄の変動表示を開始する。また、同作動口への入賞時には大当たり抽選が行われ、大当たり当選時には、その旨の表示が図柄表示装置にて行われると共に大入賞口が開放され多量の遊技球が獲得できるようになっている。
【０００３】
前記パチンコ機の裏面側には、遊技球を貯留する球タンクが設けられている。球タンクは略箱状であり、球タンクの底面には、下流側に向けて緩やかに傾斜する傾斜面が設けられている。球タンクの最下流部の底面には、遊技球を排出する開口部が設けられている。したがって、球タンクに貯留されている遊技球は傾斜面によって開口部へ導かれ、開口部下方に設けられた誘導通路部として機能するタンクレールを通じて払出装置に誘導される。誘導された遊技球は払出装置によって一旦停止される。そして、遊技領域に設けられた大入賞口等の入賞口へ遊技球が入賞した場合、払出装置によって遊技球は遊技機前面部に設けられた球受け皿に払い出される。
【０００４】
近年、遊技が単調化することを抑制するために、図柄表示装置等が大型化する傾向にある。また、図柄表示装置の上部に発光装置等の役物装置を別途設けることも考えられる。かかる役物装置は遊技盤から後方へ突出するよう設けられる。そして、その役物装置や図柄表示装置を囲む保護カバー部が設けられることもある。当然のことながら、図柄表示装置の上部に役物装置が設けられると、遊技盤から突出する保護カバー部も上方へ大きくならざるを得ない。しかし、図柄表示装置（保護カバー部）の上方には、タンクレールが接近して設けられているため、保護カバー部が上方へ張り出すと、保護カバー部とタンクレールとが干渉するおそれがある。よって、図柄表示装置の上部に役物装置を設けることは困難である。また、同様の理由で図柄表示装置の大型化も制限されている。
【０００５】
そこで、球タンクの一部を遊技機後方へ突出させることで球タンクから遊技機後方へ突出した突出部を形成し、その突出部の底面に開口部を設け、その開口部の下方にタンクレールを設けることによって、タンクレールが球タンクに対して後方へ突出したパチンコ機が提案されている（例えば、特許文献１参照）。このような構成とすることにより、タンクレールと遊技盤との間の領域が拡張するため、その領域に保護カバー部を収容することによって、図柄表示装置の上部に役物装置を設けたり、大型の図柄表示装置を設けたりすることが可能となる。
【先行技術文献】
【特許文献】
【０００６】
【特許文献１】特開２００８−２３１８２号公報
【発明の概要】
【発明が解決しようとする課題】
【０００７】
しかしながら、突出部の底面に開口部が設けられている場合においても、球タンクに貯留されている遊技球が開口部へ集中すると、開口部付近で球詰まりが発生する可能性がある。そして、球詰まりが発生した場合には、適切に遊技球を払い出すことができず、遊技等に支障をきたすおそれがある。
【０００８】
本発明は、以上例示した事情等に鑑みてなされたものであり、誘導通路部に干渉することなく大型の図柄表示装置等を配設可能にすると共に、球タンクに貯留されている遊技球を誘導通路部へ排出する開口部付近での球詰まりの抑制を図ることができる遊技機を提供することを目的とするものである。
【課題を解決するための手段】
【０００９】
本発明は、
遊技機背面側に設けられるとともに上方が開放され、底部と当該底部の周囲に立設された側壁部とによって形成された領域に遊技球を貯留する球タンクと、
遊技球を前記球タンクから排出する開口部へ向けて下り傾斜させることにより前記球タンクに貯留されている遊技球を前記開口部へ誘導するものであって、前記球タンクの前記底部に形成された傾斜部と、
前記球タンクから前記開口部を介して排出された遊技球を当該開口部の下方位置において受け止めるとともに、当該遊技球を所定方向へ誘導する誘導通路部と、
前記球タンクの一部を遊技機後方へ突出させて形成されるとともに、前記開口部の少なくとも一部が配置されている突出部と、
前記開口部の上方空間の少なくとも一部について当該開口部よりも上方への遊技球の連続した積み重なりを、前記球タンクの前記側壁部の上端部よりも下方に規制する規制部と、
を備え、
前記規制部における遊技機前方側の端部は、前記開口部における遊技機前方側の端部に対して遊技機後方側に配置されており、
前記規制部における遊技機前方側の端部と前記開口部における遊技機前方側の端部との遊技機前後方向の距離は遊技球１個の直径未満であることを特徴とする。
【発明の効果】
【００１０】
本発明によれば、誘導通路部に干渉することなく大型の図柄表示装置等を配設可能にすると共に、球タンクに貯留されている遊技球を誘導通路部へ排出する開口部付近での球詰まりを抑制することができる。
【図面の簡単な説明】
【００１１】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】球タンク及びタンクレールの周辺を示す斜視図である。
【図１２】球タンク及びタンクレールの構成を示す平面図ある。
【図１３】球タンク及びタンクレールの構成を説明するための図１２のＡ−Ａ線断面図である。
【図１４】裏パックユニットと遊技盤等との位置関係を説明するための図９のＢ−Ｂ線断面図である。
【図１５】タンクレールの一部平面図である。
【図１６】球タンク及びタンクレールの一部を切り欠いて示す正面図である。
【図１７】第１球詰まり抑制構造を説明するための説明図である。
【図１８】第１球詰まり抑制構造を説明するための説明図である。
【図１９】パチンコ機の電気的構成を示すブロック図である。
【図２０】別の第１球詰まり抑制構造を説明するための説明図である。
【図２１】別の第１球詰まり抑制構造を説明するための説明図である。
【発明を実施するための形態】
【００１２】
はじめに、本実施の形態から抽出され得る発明を、必要に応じて効果等を示しつつ説明する。
【００１３】
手段１．遊技機背面側に設けられるとともに上方が開放され、遊技球を貯留する球タンク（球タンク１３２）と、
前記球タンクの底部に形成され、遊技球を前記球タンクから排出する開口部（開口部１５６）と、
前記球タンクの底部に形成され、前記開口部へ向けて下り傾斜させることにより前記球タンクに貯留されている遊技球を前記開口部へ誘導する傾斜部（第１傾斜部１５７等）と、
前記球タンクから前記開口部を介して排出された遊技球を当該開口部の下方位置において受け止めるとともに当該遊技球を所定方向へ誘導する誘導通路部（タンクレール１３３）と、
前記球タンクの一部を遊技機後方へ突出させて形成されるとともに、前記開口部の少なくとも一部が配置されている突出部（突出部１５５）と、
前記開口部の上方空間の少なくとも一部について当該開口部よりも上方への遊技球の連続した積み重なりを所定レベルに規制する規制部（規制部１８１）と、
を備えていることを特徴とする遊技機。
【００１４】
手段１によれば、球タンクの一部を遊技機後方へ突出させることにより突出部が形成されている。突出部には、開口部の少なくとも一部が配置されている。開口部の下方位置には、開口部を介して排出された遊技球を受け止める誘導通路部が設けられている。よって、誘導通路部は、球タンクから遊技機後方へ突出して配置されている。したがって、誘導通路部が球タンクの下方に配置されている場合に比べて、誘導通路部が遊技機後方へ突出した分だけ図柄表示装置等を設置するスペースとして利用することができる。
【００１５】
また、球タンクの底部には、開口部へ向けて下り傾斜させることにより球タンクに貯留されている遊技球を開口部へ誘導する傾斜部が設けられている。よって、球タンクに貯留されている遊技球は開口部へ流れ込む。このため、開口部付近において遊技球が連続して積み重なることにより球詰まりが発生するおそれがあった。この点、手段１によれば、規制部によって開口部の上方空間の少なくとも一部について当該開口部よりも上方への遊技球の連続した積み重なりが所定レベルに規制される。よって、開口部付近の遊技球にかかる荷重は、当該遊技球より上方から受ける荷重が低減されるため、全体として低減される。よって、開口部付近での球詰まりを抑制することができる。
【００１６】
さらに、かかる構成により開口部付近の遊技球にかかる荷重が低減される場合、球タンクから開口部を介して排出され、誘導通路部によって所定方向へ誘導される遊技球にかかる荷重も低減される。よって、誘導通路部内での球詰まりを抑制することができる。
【００１７】
手段２．前記球タンクは、底部の周囲に立設された側壁部（側壁部１５４）を有し、前記規制部により規制される前記所定レベルは当該側壁部の上端部よりも下方であることを特徴とする手段１に記載の遊技機。
【００１８】
手段２によれば、球タンクは、底部及びその底部の周囲に立設された側壁部によって囲まれた所定領域内に遊技球を貯留する。つまり、遊技球は側壁部の上端部を越えて積み重なりにくい。規制部によって開口部よりも上方への遊技球の連続した積み重なりが規制される所定レベルは、球タンクに対する側壁部の上端部よりも下方であるため、所定領域内における遊技球の連続した積み重なりが規制される。
【００１９】
手段３．前記規制部は、前記開口部及び前記球タンクの底部から上方に離間させて配置されているとともに、当該規制部よりも上流側からの遊技球の流下方向に対して交差する面を有し、
前記交差面は、前記上流側からの遊技球と当接することにより当該規制部より下流側への遊技球の移動を規制する当接面（当接面１８２）であることを特徴とする手段２に記載の遊技機。
【００２０】
手段３によれば、規制部の当接面と当接することによって球タンクに貯留されている遊技球が規制部より下流側へ移動することが規制される。一方、規制部は開口部及び球タンクの底部から上方に離間させて設けられているため、規制部の下端と開口部及び球タンクの底部との間には所定の空間が形成されている。よって、球タンクに貯留されている遊技球は、当該空間を介して開口部へ流れ込む。したがって、規制部より下流側では、遊技球の連続した積み重なりが所定レベルに規制されている。以上のことから、遊技球と当接することによって遊技球の移動を規制するという比較的簡素な構成により手段１の効果を得ることができる。
【００２１】
手段４．前記規制部は、前記突出部における遊技機後方側の部位のうち、前記開口部上方の所定高さ位置から上端部までを遊技機前方側へオフセットさせることによって形成されていることを特徴とする手段３に記載の遊技機。
【００２２】
手段４によれば、規制部は、突出部における遊技機後方側の部位のうち、開口部上方の所定高さ位置から上端部までを遊技機前方側へオフセットさせることによって形成されているため、突出部における遊技機後方側の部位の一部は規制部として兼用されている。これにより、規制部を独立して設ける構成に比べて、構成の簡素化を図りつつ上記優れた効果を得ることができる。
【００２３】
手段５．前記規制部と前記突出部とが、支持部（支持壁部１８３）を介して一体形成されていることを特徴とする手段４に記載の遊技機。
【００２４】
規制部は遊技球との当接によって撓む可能性がある。規制部が撓んだ場合、遊技球の移動が規制されない可能性がある。この点、手段５によれば、規制部と突出部とが支持部を介して一体形成されているため、規制部は支持部を介して突出部に対して支持されている。よって、規制部に要求される強度が容易に確保でき、規制部の撓み変形を好適に抑制することができる。したがって、規制部の撓みによる球詰まりを抑制することができる。
【００２５】
手段６．遊技機の前後方向において、前記規制部における遊技機前方側の端部は、前記開口部における遊技機前方側の端部に対して遊技機後方側に配置されており、前記規制部における遊技機前方側の端部と前記開口部における遊技機前方側の端部との遊技機前後方向の距離は遊技球１個分未満であることを特徴とする手段１乃至５のいずれかに記載の遊技機。
【００２６】
遊技機の前後方向において、規制部における遊技機前方側の端部が開口部における遊技機前方側の端部に対して遊技機後方側に配置され、規制部における遊技機前方側の端部と開口部における遊技機前方側の端部との遊技機前後方向の距離が遊技球１個分以上の場合、規制部によって規制された遊技球の荷重の全てが開口部付近の遊技球にかかる可能性がある。この点、手段６によれば、当該距離が遊技球１個未満であるため、当該遊技球の荷重の少なくとも一部は、球タンクの底部にかかるため、当該遊技球の荷重が分散される。よって、開口部付近での球詰まりを抑制しつつ、規制部を設けたことによる球タンクの容量の減少を極力抑えることができる。
【００２７】
手段７．前記規制部の上端部は、前記球タンクの側壁部の上端部とほぼ同じ高さであることを特徴とする手段１乃至６のいずれかに記載の遊技機。
【００２８】
一般に、球タンクにおける底部及び側壁部によって囲まれた領域内に遊技球は貯留されるため、遊技球は底部から側壁部よりも高く積み重なりにくい。ここで、手段７によれば、規制部の上端部と球タンクにおける側壁部の上端部とがほぼ同じ高さとなっているため、球タンクにおいて遊技球が積み重なることができる高さと規制部が遊技球の移動を規制できる高さとがほぼ同じになる。よって、積み重なった遊技球が規制部を越えてしまうことを阻止することが可能となる。
【００２９】
手段８．前記規制部は、前記開口部上方の所定高さ位置に、前記開口部の上方空間の少なくとも一部を覆うとともに、遊技球を受け止める上面を有する屋根部（屋根部１９１）であることを特徴とする手段１に記載の遊技機。
【００３０】
手段８によれば、屋根部は、開口部上方の所定高さ位置に、開口部の上方空間の少なくとも一部を覆うように形成されている。そして、屋根部より上方の遊技球は屋根部の上面に受け止められるため、屋根部よりも上方への遊技球の連続した積み重なりは規制される。よって、開口部上方の所定高さ位置に屋根部を設けるという比較的簡素な構成により、手段１の効果を得ることができる。
【００３１】
手段９．遊技機の前後方向において、前記屋根部における遊技機前方側の端部は、前記開口部における遊技機前方側の端部に対して遊技機後方側に配置されており、前記屋根部における遊技機前方側の端部と前記開口部における遊技機前方側の端部との遊技機前後方向の距離は遊技球１個分未満であることを特徴とする手段８に記載の遊技機。
【００３２】
遊技機の前後方向において、屋根部における遊技機前方側の端部が開口部における遊技機前方側の端部に対して遊技機後方側に配置され、規制部における遊技機前方側の端部と開口部における遊技機前方側の端部との遊技機前後方向の距離が遊技球１個分以上の場合、規制部によって規制された遊技球の荷重の全てが開口部付近の遊技球にかかる可能性がある。この点、手段９によれば、当該距離が遊技球１個未満であるため、当該遊技球の荷重の少なくとも一部は、球タンクの底部にかかるため、当該遊技球の荷重が分散される。よって、開口部付近での球詰まりを抑制しつつ、規制部を設けたことによる球タンクの容量の減少を極力抑えることができる。
【００３３】
手段１０．前記突出部は、前記開口部の周縁部から立設された内面でありかつ遊技機後方側ほど前記誘導通路部が誘導する前記所定方向へ向かって湾曲している湾曲面（第１湾曲面１８４）を有し、前記誘導通路部における当該湾曲面の下方に位置する部位にも遊技機後方側ほど前記誘導通路部が誘導する前記所定方向へ向かって湾曲している湾曲面（第２湾曲面１８５）が設けられていることを特徴とする手段１乃至９いずれかに記載の遊技機。
【００３４】
開口部の少なくとも一部が配置されている突出部は、球タンクから遊技機後方へ突出している。よって、開口部付近の遊技球は遊技機後方側へ流下する。そして、開口部付近にて、遊技球の流下方向は誘導通路部が誘導する所定方向へ変更される。かかる流下方向の変更が円滑に行われない場合、球詰まりが起こる可能性がある。この点、手段１０によれば、突出部及び誘導通路部は、開口部の周縁部から立設された内面である湾曲面を有しており、当該湾曲面は遊技機後方側ほど誘導通路部が誘導する所定方向へ向かって湾曲しているため、開口部付近の遊技球は突出部又は誘導通路部の湾曲面に沿って誘導通路部が誘導する所定方向へ向かって円滑に流れる。よって、流下方向の変更による球詰まりを抑制することができる。
【００３５】
なお、ここでいう「誘導通路部が誘導する所定方向」とは、例えば遊技機幅方向をいう。
【００３６】
手段１１．遊技球が流下する遊技領域が形成された遊技盤（遊技盤６１）と、
前記遊技盤と前記誘導通路部との間に少なくとも一部が配置されている遊技機器（役物装置７３）と、
をさらに備えていることを特徴とする手段１乃至１０のいずれかに記載の遊技機。
【００３７】
手段１１によれば、誘導通路部と遊技盤との間に形成されている領域は、誘導通路部が遊技機後方へ突出した分だけ拡張されている。そして、当該領域に遊技機器の少なくとも一部が配置されている。かかる構成の遊技機に対して上記手段１乃至１０のいずれかの効果を享受することができる。
【００３８】
手段１２．前記遊技機器は前記遊技盤面の上部に配置されているとともに、遊技機後方へ突出していることを特徴とする手段１１に記載の遊技機。
【００３９】
本発明は、遊技機器が遊技盤面の上部の位置に遊技盤から後方へ突出して配置されている遊技機に適用することができる。
【００４０】
手段１３．遊技機前面部にて遊技球を貯留する球受け皿（上皿９５ａ、下皿９６ａ）と、
前記誘導通路部の下流側に設けられ、上流側から流下してきた遊技球を一旦停止させ、前記一旦停止させられている遊技球を遊技結果に基づき前記球受け皿へ払い出す払出装置（払出装置１３５）と、
前記遊技結果に基づいて払出を実行すべき遊技球数に対応した情報として賞球数情報を記憶するとともに、当該賞球数情報に対応した数の遊技球が払い出されるように前記払出装置に払い出しを実行させる制御装置（主制御装置１０７、払出制御装置１４６）と、
をさらに備えた手段１乃至１２のいずれかに記載の遊技機。
【００４１】
手段１３によれば、誘導通路部の下流側に払出装置が配置されているため、球タンクから開口部を介して排出された遊技球は誘導通路部によって払出装置へ向けて誘導される。当該遊技球は払出装置によって一旦停止する。そして、制御手段により一旦停止していた遊技球は球受け皿へ払い出される。かかる構成の遊技機に対して上記手段１乃至１２のいずれかの効果を享受することができる。
【００４２】
手段１４．遊技者が操作する操作手段（遊技球発射ハンドル８４）と、
その操作手段の操作に基づいて遊技球を弾いて発射する球発射手段（遊技球発射機構８０）と、
その発射された遊技球を所定の遊技領域に導く誘導部（内、外レール部７８、７９）と、
前記遊技領域内に配置された各遊技部品（一般入賞口６２等）と、
をさらに備えた手段１乃至１３のいずれかに記載の遊技機。
【００４３】
手段１４によれば、いわゆるパチンコ機に対して上記手段１乃至１３のいずれかの効果を享受することができる。
【００４４】
手段１５．遊技機前方から視認可能な位置に設けられ、複数種の絵柄が変動表示される表示装置と、
遊技機前面部にて遊技球を貯留する貯留部と、
該貯留部に貯留された遊技球を取り込む取込装置と、
該取込装置による遊技球の取り込みを開始させるべく操作される取込開始操作手段と、
該表示装置における絵柄の変動表示を開始させるべく操作される始動操作手段と、
該表示装置における絵柄の変動表示を停止させるべく操作される複数の停止操作手段と、
遊技結果に基づいて遊技球を払い出す払出装置とを備え、
前記取込装置により所定数の遊技球が取り込まれ、さらに前記始動操作手段が操作された場合に、前記表示装置における絵柄の変動表示を開始させ、
絵柄の変動表示の停止後に前記表示装置に表示されている絵柄により所定絵柄又は所定絵柄の組合せが成立していた場合には遊技者に遊技球が払い出される構成としたことを特徴とする手段１乃至１０のいずれかに記載の遊技機。
【００４５】
手段１５によれば、パチンコ機とスロットマシンとが融合した遊技機に対して上記手段１乃至１０のいずれかの効果を享受することができる。
【００４６】
以下、遊技機の一種であるパチンコ遊技機（以下、「パチンコ機」という）の一実施の形態を、図面に基づいて詳細に説明する。図１はパチンコ機１０の斜視図、図２及び図３はパチンコ機１０の主要な構成を展開して示す斜視図、図４はパチンコ機１０の背面図である。なお、図２では便宜上パチンコ機１０の遊技領域内の構成を省略している。
【００４７】
パチンコ機１０は、当該パチンコ機１０の外殻を形成する外枠１１と、この外枠１１に対して前方に回動可能に取り付けられた遊技機主部２１とを有する。
【００４８】
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。上記のように左右の板材１２，１３を金属製とするとともに上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。また、パチンコ機１０が外枠１１を備える構成としたが、パチンコ機１０は外枠１１を備えずに遊技機主部２１のみを備える構成としてもよい。
【００４９】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。
【００５０】
遊技機主部２１は、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００５１】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００５２】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００５３】
次に、遊技機ベースユニット２２、遊技機前面ユニット２３及び裏パックユニット２４のそれぞれについて詳細に説明する。
【００５４】
＜遊技機ベースユニット２２＞
先ず、遊技機ベースユニット２２の構成について詳細に説明する。図５は遊技機ベースユニット２２の正面図、図６は遊技機ベースユニット２２に搭載された遊技盤６１の正面図、図７は遊技機ベースユニット２２の背面図である。なお、図５では便宜上パチンコ機１０の遊技領域内の構成を省略している。
【００５５】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００５６】
遊技盤６１は合板よりなり、遊技盤６１の前面に形成された遊技領域が樹脂ベース４１の窓孔５１を通じて遊技機ベースユニット２２の前面側に露出した状態となっている。
【００５７】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，上作動口６４，下作動口６５，スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ちなみに、遊技盤６１の左側は遊技機前面ユニット２３の回動基端側に相当し、遊技盤６１の右側は遊技機前面ユニット２３の回動先端側に相当する。
【００５８】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００５９】
その他に、遊技盤６１の最下部にはアウト口６８が設けられており、各種入賞口等に入らなかった遊技球はアウト口６８を通って遊技領域から排出される。また、遊技盤６１には、遊技球の落下方向を適宜分散、調整等するために多数の釘６９が植設されていると共に、風車等の各種部材（役物）が配設されている。
【００６０】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、役物装置７３、第１特定ランプ部７４及び第２特定ランプ部７５が設けられている。役物装置７３は、遊技盤６１から後方へ突出して形成されている。役物装置７３は、役物及びソレノイドを備えており、ソレノイドへの電気的信号により当該ソレノイドの出力軸が伸縮方向に移動し、役物が遊技機に対して前後方向に移動する構成となっている。また、センターフレーム７２の上部及び下部にはそれぞれ保留ランプ部７６，７７が設けられている。下側の保留ランプ部７６は、図柄表示装置７１及び第１特定ランプ部７４に対応しており、遊技球が作動口６４，６５を通過した回数は最大４回まで保留され保留ランプ部７６の点灯によってその保留個数が表示されるようになっている。上側の保留ランプ部７７は、第２特定ランプ部７５に対応しており、遊技球がスルーゲート６６を通過した回数は最大４回まで保留され保留ランプ部７７の点灯によってその保留個数が表示されるようになっている。
【００６１】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００６２】
第１特定ランプ部７４では、作動口６４への入賞をトリガとして所定の順序で発光色の切り替えが行われ、予め定められた色で停止表示された場合には大当たりが発生する。また、第２特定ランプ部７５では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００６３】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００６４】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００６５】
遊技盤６１には、内レール部７８と外レール部７９とが取り付けられており、これら内レール部７８と外レール部７９とにより誘導レールが構成され、遊技球発射機構８０から発射された遊技球が遊技領域の上部に案内されるようになっている。
【００６６】
遊技球発射機構８０は、図５に示すように、樹脂ベース４１における窓孔５１の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００６７】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００６８】
＜遊技機前面ユニット２３＞
ここで、遊技機前面ユニット２３の構成について説明する。図８は遊技機前面ユニット２３の背面図である。
【００６９】
遊技機前面ユニット２３は遊技機ベースユニット２２の前面側全体を覆うようにして設けられている。遊技機前面ユニット２３には、図１に示すように、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００７０】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留する。また、下皿９６ａは、上皿９５ａ内にて余剰となった遊技球を貯留する機能を有する。なお、下側膨出部９６の右方には、上述した遊技球発射ハンドル８４が設けられている。
【００７１】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００７２】
また、遊技機前面ユニット２３の背面には、図８に示すように、前面側通路ユニット９９が取り付けられている。前面側通路ユニット９９は、合成樹脂により成形されており、上皿９５ａに通じる前扉側上皿通路と、下皿９６ａに通じる前扉側下皿通路とが形成されている。遊技球は、これらの通路を介して上皿９５ａ又は下皿９６ａへ払い出される。
【００７３】
＜遊技機ベースユニット２２の背面構成＞
次に、遊技機ベースユニット２２の背面構成について図７を用いて詳細に説明する。
【００７４】
樹脂ベース４１の背面における回動先端側には既に説明した施錠装置３１が設けられている。また、樹脂ベース４１の中央には上記のとおり遊技盤６１が取り付けられている。
【００７５】
遊技盤６１の中央に配置された可変表示ユニット６７には、図３及び図７に示すように、センターフレーム７２を後方から覆う合成樹脂製のフレームカバー１００が後方に突出させて設けられている。ここで、センターフレーム７２の上部に設けられている役物装置７３が遊技盤６１に対して後方へ突出しているため、フレームカバー１００における役物装置７３に対応する部位は切り欠かれており、役物装置７３はフレームカバー１００から遊技機後方へ突出している。そして、フレームカバー１００に対して後側から上述した図柄表示装置７１が取り付けられているとともに、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００７６】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００７７】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられているとともに、取付台１０６に対する主制御装置１０７の離脱痕跡手段としてカシメ構造が設けられている。
【００７８】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００７９】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図５に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００８０】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００８１】
＜裏パックユニット２４＞
次に、裏パックユニット２４の構成について詳細に説明する。図９は裏パックユニット２４の正面図、図１０は裏パックユニット２４の分解斜視図、図１１は裏パックユニット２４における球タンク１３２及びタンクレール１３３周辺の構成を示す斜視図である。
【００８２】
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００８３】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００８４】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００８５】
次に、第１裏パックユニット１２１の構成について詳細に説明する。
【００８６】
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。ここで、役物装置７３が遊技盤６１より遊技機後方へ突出して設けられているため、保護カバー部１２７における役物装置７３に対応する部位も遊技機後方へ突出している。具体的には、役物装置７３はセンターフレーム７２の上部に設けられているため、その役物装置７３を覆うために保護カバー部１２７の上端は従来よりも上方位置へ変更されている。
【００８７】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００８８】
ベース部１２６には、保護カバー部１２７を迂回するようにして払出機構部１２５が配設されている。払出機構部１２５は、球タンク１３２と、タンクレール１３３と、上下通路ユニット１３４とを備えている。球タンク１３２は上方に開放されており、裏パック１２４の最上部に設けられている。球タンク１３２には遊技ホールの島設備から遊技球が逐次補給される。球タンク１３２には、球タンク１３２から遊技機後方へ突出した突出部１５５が設けられている。タンクレール１３３は、突出部１５５の下方において当該突出部１５５に連結されている。突出部１５５は球タンク１３２から遊技機後方へ突出しているため、突出部１５５の下方に配置されているタンクレール１３３も球タンク１３２に対して遊技機後方へ突出している。よって、タンクレール１３３が球タンク１３２に対して遊技機後方へ突出した分だけタンクレール１３３と遊技盤６１との間隔は拡張されている。そして、タンクレール１３３と遊技盤６１との間に役物装置７３の一部が配置されている。かかる構成とすることにより、タンクレール１３３と保護カバー部１２７とが干渉しないようになっている。タンクレール１３３は、下流側に向けて緩やかに傾斜している。当該タンクレール１３３の下流部に連結させて上下通路ユニット１３４が設けられている。上下通路ユニット１３４は上下方向に延びており、その途中位置に流下してきた遊技球を一旦停止させ、遊技結果に基づき払い出す機能を有する払出装置１３５が設けられている。球タンク１３２に貯留されている遊技球はタンクレール１３３内を流下し、上下通路ユニット１３４の途中位置に設けられている払出装置１３５によって一旦停止される。そして、一旦停止した遊技球は遊技結果に基づいて上下通路ユニット１３４の下流側に設けられている上皿９５ａ及び下皿９６ａへ向けて払い出される。
【００８９】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００９０】
次に、第２裏パックユニット１４１の構成について詳細に説明する。
【００９１】
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００９２】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００９３】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００９４】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００９５】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【００９６】
次に、球タンク１３２及びタンクレール１３３について図１２〜図１６に基づいて詳細に説明する。図１２は、球タンク１３２及びタンクレール１３３の平面図であり、突出部１５５の一部切断図を含む。図１３は、図１２のＡ−Ａ線断面図である。図１４は、球タンク１３２、タンクレール１３３、遊技盤６１、音声ランプ制御装置ユニット１０２及び役物装置７３の位置関係を説明するための図９のＢ−Ｂ線断面図である。図１５はタンクレール１３３の一部平面図である。図１６は、球タンク１３２及びタンクレール１３３の一部を切り欠いて示す正面図である。
【００９７】
まず、球タンク１３２について詳細に説明すると、球タンク１３２は合成樹脂により成形されており、ネジ等の締結具によってベース部１２６に固定されている。具体的には、球タンク１３２の遊技機幅方向に対する両端部には取り付け部１５１が設けられており、取り付け部１５１には、取り付け部１５１を貫通したネジ孔１５２が設けられている。ベース部１２６には、ネジ孔１５２と連通するネジ孔が設けられており、これらネジ孔にネジを挿通させることによって、球タンク１３２は裏パックユニット２４に取り付けられている。
【００９８】
球タンク１３２は、底部１５３と当該底部１５３の周囲に立設された側壁部１５４を有している。これら底部１５３及び側壁部１５４によって囲まれた領域内に遊技球は貯留される。具体的には、底部１５３は上方から見て遊技機幅方向に長い略長方形状をなしており、遊技機幅方向の一方、かつ遊技機後方へ向かって下り傾斜している。底部１５３の周囲に立設されている側壁部１５４は、遊技機幅方向に対して底部１５３の上流側に配置されている上流側壁部１５４ａ、下流側に配置されている下流側壁部１５４ｂ、遊技機前後方向に対して遊技機前方に配置されている前側壁部１５４ｃ、及び遊技機後方に配置されている後側壁部１５４ｄから形成されている。これら４つの壁部と底部１５３とに囲まれた領域内に遊技球は貯留される。また、これら４つの壁部の上端は同一水平面にある。
【００９９】
下流側壁部１５４ｂと後側壁部１５４ｄとの隅角部付近には、突出部１５５が設けられている。突出部１５５は、球タンク１３２の一部を遊技機後方へ突出させることで形成されている。具体的には、突出部１５５は、後側壁部１５４ｄの下流側の一部を遊技後方へオフセットさせることで形成された第１壁部１５５ａと、両端部がそれぞれ第１壁部１５５ａ及び後側壁部１５４ｄに配置されており第１壁部１５５ａに対して直交する第２壁部１５５ｂと、下流側壁部１５４ｂを第１壁部１５５ａまで遊技機後方へ延出させることによって形成された第３壁部１５５ｃと、から構成されている。突出部１５５には、球タンク１３２に貯留されている遊技球をタンクレール１３３へ排出する開口部１５６が設けられている。開口部１５６は、第１壁部１５５ａ、第２壁部１５５ｂ及び第３壁部１５５ｃの内壁面に沿って略長方形に形成されている。開口部１５６は、突出部１５５の下方領域のほぼ全域を占めている。そして、開口部１５６は、球タンク１３２における底部１５３の最下流部に対して連続して形成されている。したがって、球タンク１３２に貯留されている遊技球は、球タンク１３２の底部１５３の下り傾斜によって開口部１５６へ誘導される。開口部１５６は、複数の遊技球が通過できる程度の大きさを有している。
【０１００】
球タンク１３２の底部１５３による開口部１５６への遊技球の誘導について説明する。底部１５３は、開口部１５６へ遊技球を誘導する第１傾斜部１５７及び第２傾斜部１５８から形成されている。第１傾斜部１５７は、底部１５３において上流側壁部１５４ａ側から下流側壁部１５４ｂ側の途中まで形成されており、上流側壁部１５４ａから下流側壁部１５４ｂに向かって下り傾斜になっている。よって、第１傾斜部１５７上の遊技球（図１２〜図１４、図１６におけるＢ１の位置）は下流側壁部１５４ｂに向かって流下する。つまり、遊技球は第１傾斜部１５７によって、遊技機幅方向の一方へ誘導される。
【０１０１】
第１傾斜部１５７の下流側には、第２傾斜部１５８が設けられている。第２傾斜部１５８は、第１傾斜部１５７に対して連続して形成されている。第２傾斜部１５８は、下流側壁部１５４ｂ付近の所定の領域を占めている。詳細には、第２傾斜部１５８は、開口部１５６付近においては、下流側壁部１５４ｂから遊技機幅方向に一定の幅を有している。当該幅は、開口部１５６の遊技機幅方向の幅よりも狭い。また、開口部１５６付近における第２傾斜部１５８の遊技機幅方向の幅は、開口部１５６付近における第１傾斜部１５７の遊技機幅方向の幅よりも狭い。そして、第２傾斜部１５８は遊技機前後方向の途中位置から遊技機前方へ向かうに従って、遊技機幅方向の幅が広がるように形成されている。換言すれば、第２傾斜部１５８における遊技機幅方向の幅は開口部１５６へ向かうに従って狭くなっている。さらに換言すれば、第２傾斜部１５８に連続して設けられている第１傾斜部１５７における遊技機幅方向の幅は、遊技機後方へ向かうに従って広がっている。第２傾斜部１５８は、前側壁部１５４ｃから後側壁部１５４ｄに向けて下り傾斜している。よって、第１傾斜部１５７から流下してきた遊技球が第２傾斜部１５８上に至ると（図１２及び図１４におけるＢ２の位置）、第２傾斜部１５８上の遊技球は、開口部１５６が設けられている遊技機後方へ向かって流下する。これにより、球タンク１３２に貯留されている遊技球は開口部１５６へ流下する（図１２〜図１６におけるＢ３の位置）。特に、第２傾斜部１５８は開口部１５６へ向かうに従って狭くなっているため、第２傾斜部１５８上の遊技球は、第１傾斜部１５７及び第２傾斜部１５８の境界部又は下流側壁部１５４ｂに沿って開口部１５６へ流下しやすい。また、遊技機幅方向において、開口部１５６付近での第２傾斜部１５８の幅は開口部１５６の幅よりも狭く、開口部１５６付近での第１傾斜部１５７の幅よりも狭い。よって、開口部１５６付近では、第１傾斜部１５７が設けられている第２壁部１５５ｂ側よりも第２傾斜部１５８が設けられている下流側壁部１５４ｂ側に遊技球が集中しやすい。したがって、開口部１５６付近では、下流側壁部１５４ｂ側の遊技球にかかる荷重は第２壁部１５５ｂ側の遊技球にかかる荷重よりも大きい。よって、下流側壁部１５４ｂ側の遊技球にかかる荷重は第２壁部１５５ｂ側へかかりやすい。換言すれば、開口部１５６付近において下流側壁部１５４ｂ側の遊技球にかかる荷重は分散されやすい。これにより、開口部１５６付近での球詰まりを抑制することができる。
【０１０２】
第１傾斜部１５７には、遊技球を整流する凸部１５９が設けられている。凸部１５９は、第１傾斜部１５７から遊技機上方へ突出している。凸部１５９は、後側壁部１５４ｄから遊技機前方に一定の幅を有しており、凸部１５９の遊技機前方側の端部と前側壁部１５４ｃとの間には複数の遊技球が通過できる程度の空間が形成されている。そして、凸部１５９は、後側壁部１５４ｄから第１傾斜部１５７及び第２傾斜部１５８の境界部付近まで形成されている。これにより、第１傾斜部１５７上の遊技球は、凸部１５９又は第２傾斜部１５８へ流下するようになっている。球タンク１３２に貯留されている遊技球は、凸部１５９によって第１傾斜部１５７の誘導方向に沿ってそのまま開口部１５６へ流下するのを防止され、第２傾斜部１５８の誘導方向に沿って流下するようになっている。具体的には、凸部１５９は、第１傾斜部１５７とは反対に傾斜している第３傾斜部１６０を有している。第３傾斜部１６０は、凸部１５９において開口部１５６に対して反対側の部位に設けられている。凸部１５９の遊技機幅方向の幅は、遊技機前方へ向かうに従って狭くなるように形成されており、これに対応して第３傾斜部１６０の遊技機幅方向の幅も遊技機前方へ向かうに従って狭くなっている。第１傾斜部１５７から流下してきた遊技球が第３傾斜部１６０上に至った場合（図１２〜図１４におけるＢ４の位置）、当該遊技球の勢いが低減される。勢いが低減された遊技球は、第３傾斜部１６０に沿って流下する。そして、当該遊技球は第１傾斜部１５７及び第３傾斜部１６０の境界部に沿って、遊技機前方側かつ下流側へ向けて流下する。つまり、球タンク１３２に貯留されている遊技球は、凸部１５９によって第１傾斜部１５７からそのまま開口部１５６へ流れ込むことが阻止されつつ、流れの向きを遊技機前方側へ変えられる。したがって、開口部１５６付近の遊技球に過剰な荷重がかからないようになっている。そして、凸部１５９により流れの向きを変えられた遊技球は凸部１５９の遊技機前方側を流下する。つまり、第１傾斜部１５７上にある遊技球は凸部１５９を迂回するように流下する。そして、凸部１５９の遊技機前方側を流下してきた遊技球は下流側壁部１５４ｂに衝突した後に開口部１５６へ流れるため、開口部１５６へ流下する遊技球の勢いは低減されている。これにより、一定の方向から、かつ安定した状態で遊技球は開口部１５６へ流下することとなる。つまり、球タンク１３２に貯留されている遊技球は、凸部１５９によって整流されている。なお、凸部１５９の開口部１５６側の部位は、突出部１５５における第２壁部１５５ｂの一部を遊技機前方へ延出させることで形成されている。凸部１５９と下流側壁部１５４ｂとの間にある遊技球は両側の壁部に沿って流下するため、円滑に開口部１５６へ導かれる。
【０１０３】
以上のことから、球タンク１３２に貯留されている遊技球は、凸部１５９により開口部１５６への直接の流下を抑制されつつ、第１傾斜部１５７により第２傾斜部１５８へ誘導される。そして、第２傾斜部１５８上の遊技球は、第２傾斜部１５８の傾斜により開口部１５６が設けられている遊技機後方へ誘導される。そして、開口部１５６を介して球タンク１３２から排出された遊技球は、開口部１５６下方に配置されているタンクレール１３３によって受け止められ、払出装置１３５に向かって誘導される。なお、球タンク１３２は合成樹脂により成形されているため、球タンク１３２の軽量化を図ることができ、球タンク１３２に設けられる突出部１５５や底部１５３の傾斜等の成形を容易に行うことができるが、これに限らずアルミニウムなどの金属によって構成しても良い。
【０１０４】
次に、タンクレール１３３について説明すると、タンクレール１３３は開口部１５６が配置されている突出部１５５の下方に配置されている。突出部１５５は図１１及び図１４に示すように球タンク１３２に対して遊技機後方へ突出して設けられているため、それに対応して配置されているタンクレール１３３も球タンク１３２に対して後方へ突出している。よって、タンクレール１３３が突出した分、タンクレール１３３と遊技盤６１との間隔が拡張されている。よって、タンクレール１３３と遊技盤６１との間に役物装置７３を配置することができる。
【０１０５】
タンクレール１３３は合成樹脂により成形されており、上方に開口した長尺樋状をなしている。タンクレール１３３は遊技機幅方向を長手方向として配置されており、払出装置１３５に向かって下り傾斜になっている。タンクレール１３３の誘導方向は、球タンク１３２における第１傾斜部１５７の誘導方向に対して反対方向となるように形成されている。タンクレール１３３の上流側には、開口部１５６を介して球タンク１３２から排出された遊技球を受け止める球受部１７１が設けられている。球受部１７１は、図１６に示すように底面が球面状であり、開口部１５６の下方位置に配置されている。開口部１５６を介して球タンク１３２から排出された遊技球は球受部１７１により受け止められ、タンクレール１３３内へ向けて流下する（図１５及び図１６におけるＢ５の位置）。そして、遊技球はタンクレール１３３内に設けられている仕切壁１７２によって二手に分流される。つまり、遊技球はタンクレール１３３内にて２列に整列される。そして、遊技球はタンクレール１３３の傾斜に沿って払出装置１３５に向かって誘導される。つまり、球タンク１３２に貯留されている遊技球は遊技機幅方向の一方へ流下し、開口部１５６付近にて流下方向が変更され、タンクレール１３３の誘導方向である遊技機幅方向の他方へ向けて流下する。より詳細には、第１傾斜部１５７により遊技機幅方向の一方へ向けて流下する遊技球は、第２傾斜部１５８により下流側壁部１５４ｂ及び第３壁部１５５ｃに沿って遊技機後方へ向けて流下する。その後、開口部１５６付近において流下方向が、第３壁部１５５ｃに沿った方向から球タンク１３２における第１傾斜部１５７の流下方向とは反対方向である遊技機幅方向の他方へ変更される。そして、遊技球は払出装置１３５に向けてタンクレール１３３内を流下する。また、タンクレール１３３の底部には、塵埃を落下させるための穴部１７３が設けられている。穴部１７３によって、空気中の塵埃がタンクレール１３３の底部に溜まることが抑制されている。
【０１０６】
次に、開口部１５６付近における球詰まり抑制構造について図１７及び図１８を用いて説明する。図１７は、球詰まり抑制構造を説明するための図１２におけるＣ−Ｃ線断面図であり、図１８は球詰まり抑制構造を説明するための球タンク１３２及びタンクレール１３３の一部を切り欠いて示す正面図である。
【０１０７】
上述したように、球タンク１３２の底部１５３によって球タンク１３２に貯留されている遊技球は開口部１５６へ流れ込む。また、払出装置１３５によって遊技球は一旦停止されるため、球タンク１３２内まで遊技球が連なる場合がある。かかる場合、開口部１５６付近において遊技球が連続して積み重なることにより球詰まりが発生するおそれがある。また、開口部１５６付近では、遊技球の流下方向が、第３壁部１５５ｃに沿った方向からタンクレール１３３が誘導する遊技機幅方向に変更される。かかる流下方向の変更が円滑に行われない場合、球詰まりが起こる可能性がある。これらに対して、それぞれ球詰まり抑制構造が設けられている。この球詰まり抑制構造としては、第１球詰まり抑制構造と、第２球詰まり抑制構造とが設けられている。
【０１０８】
まず、第１球詰まり抑制構造について説明すると、開口部１５６から上方に離間した位置には、遊技球の連続した積み重なりを所定レベルに規制する規制部１８１が設けられている。規制部１８１は、第１壁部１５５ａのうち、開口部１５６上方の所定高さ位置（開口部１５６から遊技機上下方向に対して距離Ｘ１だけ上方の位置）から上端部までを遊技機前方側へオフセットさせることで形成されている。当該オフセットに対応して、第２壁部１５５ｂ及び第３壁部１５５ｃそれぞれにおける遊技機後方側の端部のうち、開口部１５６上方の所定高さ位置から上端部までの端部の位置は遊技機前方側へ移動している。そして、これら端部に、遊技機幅方向における規制部１８１の両端部がそれぞれ配置されている。また、第２壁部１５５ｂにおける規制部１８１よりも遊技機後方側の上端及び第３壁部１５５ｃにおける規制部１８１よりも遊技機後方側の上端は、それぞれ開口部１５６上方の所定高さ位置となっており、同一水平面にある。規制部１８１の下端と開口部１５６との間には、遊技機上下方向に対して距離Ｘ１の隙間が存在する。規制部１８１の上端と、球タンク１３２の側壁部１５４の上端とは、同一水平面にある。規制部１８１は、自身よりも上流側にある遊技球と当接する当接面１８２を有する。当接面１８２は平坦面であり、遊技機上下方向に延びている。換言すれば、当接面１８２は、開口部１５６付近での遊技球の流下方向である遊技機前後方向に対して直交している。開口部１５６へ流れ込む遊技球は、当接面１８２と当接することによって規制部１８１より下流側へ移動することが規制されているため、開口部１５６の上方空間の少なくとも一部について開口部１５６よりも上方への遊技球の連続した積み重なりは所定レベルに規制されている。具体的には、開口部１５６へ流れ込む遊技球のうち、規制部１８１の下端部より上方にある遊技球は規制部１８１の当接面１８２と当接する。これにより、規制部１８１よりも下流側である遊技機後方側への遊技球の移動が規制される（図１７におけるＢ６の位置）。これに対して、規制部１８１の下端と、球タンク１３２の底部１５３及び開口部１５６との間にある遊技球は、規制部１８１によって移動が規制されることなく開口部１５６へ向けて流下する。よって、規制部１８１よりも遊技機後方側では、遊技球の連続した積み重なりがほぼ規制部１８１の下端部までに規制されている。したがって、開口部１５６付近に存在する遊技球（図１７におけるＢ７の位置）にかかる遊技球の荷重は、当該遊技球よりも上方から受ける荷重が低減されているため、全体として低減される。これにより、開口部１５６付近での球詰まりを抑制することができる。そして、開口部１５６付近の遊技球にかかる荷重が低減される場合、球タンク１３２から開口部１５６を介して排出されタンクレール１３３内を流下する遊技球にかかる荷重も低減される。よって、タンクレール１３３内での球詰まりを抑制することができる。なお、移動を規制された遊技球は当接面１８２に沿って落下し、規制部１８１の下端と開口部１５６との間を通過して、開口部１５６へ流れ込む。また、開口部１５６から規制部１８１の下端部までの距離Ｘ１は少なくとも遊技球１個が通過できるように遊技球の直径Ｒ以上であればよい。また、当接面１８２は平坦面としたが、これに限られず、湾曲面又は凹凸面であってもよい。
【０１０９】
規制部１８１の遊技機前方側の端部から開口部１５６の遊技機前方側の端部までの遊技機前後方向の距離Ｘ２が遊技球の直径Ｒ未満になるように、規制部１８１は配置されている。これにより、規制部１８１によって移動が規制された遊技球（図１７におけるＢ６の位置）の荷重の少なくとも一部は球タンク１３２の底部１５３にかかることになるため、荷重の全てが開口部１５６付近の遊技球（図１７におけるＢ７の位置）へかかることが抑制されている。よって、開口部１５６付近での球詰まりを抑制しつつ、規制部１８１を設けたことによる球タンク１３２の容量の減少を極力抑えることができる。
【０１１０】
また、開口部１５６と規制部１８１の下端との距離が、タンクレール１３３の整列数分の遊技球が通過でき、かつ、その整列数分よりも多い遊技球は通過できない距離となるように、開口部１５６と規制部１８１との位置関係は設定されている。具体的には、規制部１８１が開口部１５６上方に設けられている場合、開口部１５６の遊技機前方側端部と規制部１８１の下端との距離がタンクレール１３３の整列数分の遊技球が通過でき、かつ、その整列数分よりも多い遊技球は通過できない距離となるように、開口部１５６から規制部１８１の下端までの遊技機上下方向の距離Ｘ１と、規制部１８１の遊技機前方側の端部から開口部１５６の遊技機前方側の端部までの遊技機前後方向の距離Ｘ２とがそれぞれ設定されている。但し、Ｘ２は、前述した通り遊技球１個分未満が好ましいため、Ｘ２は当該範囲内で設定されている。これにより、開口部１５６へ一度に流れ込むことができる遊技球の積み重なりの数は、タンクレール１３３における整列数分の遊技球の数となる。すなわち、遊技球は、開口部１５６と規制部１８１との間を通過することによって、積み重なりの数がタンクレール１３３の整列数分の状態でタンクレール１３３へ流れ込みやすい。よって、タンクレール１３３内を円滑に流下しやすいため、タンクレール１３３内での球詰まりを抑制することができる。
【０１１１】
規制部１８１と第１壁部１５５ａとの間には、規制部１８１を支持する支持壁部１８３が設けられている。支持壁部１８３は第１壁部１５５ａ及び規制部１８１に対して直交している。規制部１８１及び突出部１５５は支持壁部１８３を介して一体形成されている。具体的には、遊技機前後方向における支持壁部１８３の一端部は規制部１８１の下端部に配置されており、他端部は第１壁部１５５ａの上端部に配置されている。規制部１８１は支持壁部１８３により突出部１５５に対して支持されている。したがって、規制部１８１の強度が高められているため、規制部１８１に遊技球が当接しても規制部１８１は撓みにくい。これにより、規制部１８１の撓みによる球詰まりを抑制することができる。
【０１１２】
また、支持壁部１８３は遊技機幅方向に沿って延びており、支持壁部１８３の両端部は、それぞれ第２壁部１５５ｂの規制部１８１より遊技機後方側の上端部と、第３壁部１５５ｃの規制部１８１より遊技機後方側の上端部とに配置されている。よって、支持壁部１８３は、開口部１５６の上方空間のうち、遊技機幅方向に対しては全体を、遊技機前後方向に対しては規制部１８１から第１壁部１５５ａまでを覆うように形成されている。よって、支持壁部１８３の下方領域にて遊技球が積み重なり、支持壁部１８３より上方へ遊技球が積み重なることはない。換言すれば、支持壁部１８３の下方において、遊技球の連続した積み重なりのレベル（高さ）は支持壁部１８３（支持壁部１８３が設けられている高さ）までに規制される。よって、開口部１５６付近での球詰まりをより好適に抑制することができる。また、支持壁部１８３によって、空気中の塵埃が開口部１５６へ侵入しにくい。よって、塵埃による球詰まりを抑制することができる。
【０１１３】
次に、第２球詰まり抑制構造について図１２及び１５を用いて説明する。
【０１１４】
突出部１５５は、第１壁部１５５ａの内壁面と第３壁部１５５ｃの内壁面との境界部に、遊技球の曲率よりも小さい曲率で湾曲している第１湾曲面１８４を有している。第１湾曲面１８４により、第１壁部１５５ａの内壁面と第３壁部１５５ｃの内壁面とが連続的に接続されている。換言すれば、第１壁部１５５ａの内壁面と第３壁部１５５ｃの内壁面とが接続される隅角部にアールが形成されていることになる。第１湾曲面１８４に対応して、第１壁部１５５ａ及び第３壁部１５５ｃの内壁面に沿って形成されている開口部１５６も湾曲している。そして、タンクレール１３３における第１湾曲面１８４の下方に位置する部位にも遊技球の曲率よりも小さい曲率で湾曲している第２湾曲面１８５が設けられている。具体的には、第２湾曲面１８５は、球受部１７１の上流側端部における遊技機後方側に設けられている。第２湾曲面１８５は、第１湾曲面１８４と同様の曲率を有している。換言すれば、遊技球の曲率よりも小さい曲率の湾曲面が、開口部１５６を含めてタンクレール１３３の底部から突出部１５５の上端部までほぼ連続して形成されている。これら第１湾曲面１８４及び第２湾曲面１８５によって、遊技球の流下方向は、第３壁部１５５ｃに沿った方向からタンクレール１３３が誘導する遊技機幅方向に円滑に変更される。具体的には、第２傾斜部１５８により下流側壁部１５４ｂ及び第３壁部１５５ｃに沿って流下してきた遊技球（図１５及び図１６におけるＢ３の位置）は、第１湾曲面１８４又は第２湾曲面１８５に到達し、これら湾曲面に沿って第３壁部１５５ｃ側から第１壁部１５５ａ側へ円滑に流下する。第１壁部１５５ａは遊技機幅方向に沿って延びているため、第１壁部１５５ａに沿った方向と、タンクレール１３３の誘導方向とは略一致している。よって、遊技球の流下方向は、タンクレール１３３の誘導方向に円滑に変更されることとなる。換言すれば、第１壁部１５５ａの内壁面と第３壁部１５５ｃの内壁面との隅角部又はタンクレール１３３における当該隅角部に対応する部位において、遊技球が溜まりにくい。したがって、流下方向の変更による球詰まりを抑制することができる。
【０１１５】
次に、パチンコ機１０の電気的構成について、図１９のブロック図に基づいて説明する。図１９では、電力の供給ラインを二重線矢印で示し、信号ラインを実線矢印で示す。
【０１１６】
主制御装置１０７に設けられた主制御基板３１１には、主制御回路３１２と停電監視回路３１３とが内蔵されている。主制御回路３１２には、ＣＰＵ３２１が搭載されている。ＣＰＵ３２１には、当該ＣＰＵ３２１により実行される各種の制御プログラムや固定値データを記憶したＲＯＭ３２２と、そのＲＯＭ３２２内に記憶される制御プログラムの実行に際して各種のデータ等を一時的に記憶するためのメモリであるＲＡＭ３２３と、割込回路やタイマ回路、データ入出力回路などの各種回路が内蔵されている。
【０１１７】
ＲＡＭ３２３は、パチンコ機１０の電源の遮断後においても電源及び発射制御装置１４７に設けられた電源及び発射制御基板３３１からデータ記憶保持用電力が供給されてデータが保持される構成となっている。
【０１１８】
ＣＰＵ３２１には、アドレスバス及びデータバスで構成されるバスラインを介して入出力ポートが接続されている。主制御回路３１２の入力側には、主制御基板３１１に設けられた停電監視回路３１３、払出制御装置１４６に設けられた払出制御基板３３２及びその他図示しないスイッチ群などが接続されている。この場合に、停電監視回路３１３には電源及び発射制御基板３３１が接続されており、主制御回路３１２には停電監視回路３１３を介して電力が供給される。
【０１１９】
一方、主制御回路３１２の出力側には、停電監視回路３１３、払出制御基板３３２及び中継端子板３３３が接続されている。払出制御基板３３２には、賞球コマンドなどといった各種コマンドが出力される。中継端子板３３３を介して主制御回路３１２から音声ランプ制御装置１０３に設けられた音声ランプ制御基板３３４に対して各種コマンドなどが出力される。
【０１２０】
停電監視回路３１３は、主制御回路３１２と電源及び発射制御基板３３１とを中継し、また電源及び発射制御基板３３１から出力される最大電源である直流安定２４ボルトの電源を監視する。
【０１２１】
払出制御基板３３２は、払出装置１３５により賞球や貸し球の払出制御を行うものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。島設備から球タンク１３２に補給された遊技球は、開口部１５６を介してタンクレール１３３へ流下し、上下通路ユニット１３４の途中位置に設けられている払出装置１３５によって一旦停止される。そして、一旦停止した遊技球は払出制御基板３３２からの各種払出コマンドに基づいて上下通路ユニット１３４の下流側に設けられている上皿９５ａ及び下皿９６ａへ向けて払い出される。
【０１２２】
払出制御基板３３２のＲＡＭ３４３は、主制御回路３１２のＲＡＭ３２３と同様に、パチンコ機１０の電源の遮断後においても電源及び発射制御基板３３１からデータ記憶保持用電力が供給されてデータが保持される構成となっている。
【０１２３】
払出制御基板３３２のＣＰＵ３４１には、アドレスバス及びデータバスで構成されるバスラインを介して入出力ポートが接続されている。払出制御基板３３２の入力側には、主制御回路３１２、電源及び発射制御基板３３１、及び裏パック基板１３６が接続されている。また、払出制御基板３３２の出力側には、主制御回路３１２及び裏パック基板１３６が接続されている。
【０１２４】
電源及び発射制御基板３３１は、電源部と発射制御部とを備えている。電源部は、二重線矢印で示す経路を通じて、主制御回路３１２や払出制御基板３３２等に対して各々に必要な動作電力を供給する。発射制御部は、遊技者による遊技球発射ハンドル８４の操作にしたがって遊技球発射機構８０の発射制御を担うものであり、遊技球発射機構８０は所定の発射条件が整っている場合に駆動される。
【０１２５】
音声ランプ制御基板３３４は、役物装置７３、環状電飾部９２、エラー表示ランプ部９３、スピーカ部９４、及び表示制御装置１０１を制御するものである。演算装置であるＣＰＵ３５１は、そのＣＰＵ３５１により実行される制御プログラムや固定値データ等を記憶したＲＯＭ３５２と、ワークメモリ等として使用されるＲＡＭ３５３とを備えている。
【０１２６】
音声ランプ制御基板３３４のＣＰＵ３５１にはアドレスバス及びデータバスで構成されるバスラインを介して入出力ポートが接続されている。音声ランプ制御基板３３４の入力側には中継端子板３３３に中継されて主制御回路３１２が接続されており、主制御回路３１２から出力される各種コマンドに基づいて、役物装置７３、環状電飾部９２、エラー表示ランプ部９３、スピーカ部９４、及び表示制御装置１０１を制御する。特に、役物装置７３は遊技機に対して前後方向に移動することができるため、ダイナミックな演出を行うことが可能となる。表示制御装置１０１は、音声ランプ制御基板３３４から入力する表示コマンドに基づいて図柄表示装置７１を制御する。
【０１２７】
以上詳述した本実施の形態によれば、以下の優れた効果を奏する。
【０１２８】
球タンク１３２の一部を遊技機後方へ突出させることによって突出部１５５が形成され、その突出部１５５に開口部１５６が設けられている。そして、開口部１５６の上方空間の少なくとも一部について当該開口部１５６よりも上方への遊技球の連続した積み重なりを所定レベルに規制する規制部１８１が設けられている。これにより、開口部１５６付近の遊技球にかかる荷重が低減されるため、開口部１５６付近での球詰まりを抑制することができる。
【０１２９】
具体的には、規制部１８１は、開口部１５６から上方に離間させて配置されているとともに、規制部１８１より上流側からの遊技球と当接することにより、規制部１８１より下流側への遊技球の移動を規制する当接面１８２を有している。これにより、規制部１８１より下流側では、遊技球の連続した積み重なりが所定レベルに規制されている。よって、開口部１５６付近での球詰まりを抑制することができる。
【０１３０】
また、球タンク１３２に貯留されている遊技球は規制部１８１の下端と開口部１５６との間を通過して開口部１５６へ流れ込むため、規制部１８１の下端と開口部１５６との間隔を調整することにより、タンクレール１３３へ一度に流れ込む遊技球の量を調整することができる。よって、当該間隔を調整することにより、タンクレール１３３及びそれより下流側において、過剰な遊技球に起因する球詰まりを抑制することができる。
【０１３１】
規制部１８１は、第１壁部１５５ａの一部を遊技機前方側へオフセットさせることによって形成されている。よって、突出部１５５における第１壁部１５５ａの一部が規制部１８１として兼用されている。これにより、規制部１８１を独立して設ける構成に比べて、構成の簡素化が図られている。
【０１３２】
規制部１８１の上端と球タンク１３２の側壁部１５４の上端とが同一水平面となっている。通常、球タンク１３２は側壁部１５４と底部１５３とに囲まれた領域内に遊技球を貯留するため、遊技球は側壁部１５４の上端を越えて積み重なりにくい。よって、球タンク１３２において遊技球が積み重なることができる高さと規制部１８１が遊技球の移動を規制できる高さとがほぼ同じなっている。よって、積み重なった遊技球が規制部１８１を超えてしまうことを阻止することができる。
【０１３３】
規制部１８１は遊技球との当接によって撓む可能性がある。規制部１８１が撓んだ場合、遊技球の移動が規制されない可能性がある。これに対して、規制部１８１と突出部１５５とが支持壁部１８３を介して一体形成されているため、規制部１８１は支持壁部１８３を介して突出部１５５に支持されている。よって、規制部１８１に要求される強度が容易に確保でき、規制部１８１の撓み変形を好適に抑制することができる。したがって、規制部１８１の撓みによる球詰まりを抑制することができる。
【０１３４】
また、支持壁部１８３は、開口部１５６上方空間のうち、遊技機幅方向に対しては全体を、遊技機前後方向に対しては規制部１８１から第１壁部１５５ａまでを覆うように形成されている。これにより、支持壁部１８３の下方において、遊技球の連続した積み重なりのレベルは支持壁部１８３までに規制される。よって、開口部１５６付近での球詰まりをより好適に抑制することができる。
【０１３５】
なお、上述した実施の形態の記載内容に限定されず、例えば次のように実施してもよい。
【０１３６】
（ａ）上記実施の形態では、遊技球の移動を規制する規制部が設けられているが、これに限られない。例えば、図２０に示すような構成にしてもよい。図２０は、図１７に基づいて規制部の変形例を示す図である。
【０１３７】
（ａ−１）図２０に示す構成では、開口部１５６上方の所定高さ位置に、開口部１５６の上方空間の少なくとも一部を覆う屋根部１９１が設けられている。屋根部１９１は第１壁部１５５ａから遊技機前方側へ突出して設けられている。屋根部１９１は第２壁部１５５ｂから第３壁部１５５ｃまで形成されている。つまり、屋根部１９１は、遊技機幅方向に対しては開口部１５６の上方空間の全体を覆っている。屋根部１９１は、遊技球を受け止める上面１９２を有している。屋根部１９１より上方の遊技球は屋根部１９１の上面１９２に受け止められる。よって、屋根部１９１より上方への遊技球の連続した積み重なりは規制される。したがって、開口部１５６付近での球詰まりを抑制することができる。また、屋根部１９１を設けたことによる球タンク１３２の貯留量の減少は、規制部１８１を設けた場合よりも低減されている。なお、屋根部１９１の遊技機前方側の端部は、遊技球と当接する際の衝撃で破損する可能性があるため、曲面状に面取りを施しておくのが好ましい。また、屋根部１９１の遊技機前方側の端部は開口部１５６における遊技機前方側の端部に対して遊技機後方側に配置されており、屋根部１９１の遊技機前方側の端部と開口部１５６における遊技機前方側の端部との遊技機前後方向の距離Ｘ３は遊技球１個分未満になるようにするのが好ましい。
【０１３８】
（ａ−２）また、図２０では、球を受け止める上面１９２は第１壁部１５５ａから遊技機前方へ向けて下り傾斜になるように形成されている。かかる構成により、上面１９２に受け止められた遊技球は遊技機前方に向けて流下し、屋根部１９１から零れ落ちて、開口部１５６へ向けて流下する。つまり、上面１９２によって受け止めた遊技球は開口部１５６へ誘導される。
【０１３９】
（ｂ）以下に上記実施の形態で詳述した遊技球の移動を規制する規制部の変形例を示す。図２１の（ａ）〜（ｄ）は、図１７に示されている規制部１８１の変形例を概略化して示す要部断面図である。
【０１４０】
（ｂ−１）上記実施の形態では、当接面１８２は遊技機前後方向に対して直交しているが、これに限られず、遊技機前後方向に対してどちらかに傾斜していてもよい。また、遊技機幅方向に対してどちらかに傾斜していてもよい。要は、遊技球の流下方向である遊技機前後方向に対して交差する面であればよい。例えば図２１（ａ）では、開口部１５６へ向けて下り傾斜している規制部１９３が設けられている。これにより、規制部１９３が有する当接面１９４は、同じく開口部１５６へ向けて傾斜している。移動を規制された遊技球は当接面１９４に沿って流下するため、当該遊技球は開口部１５６へ誘導される。
【０１４１】
（ｂ−２）上記実施の形態では、開口部１５６上方に規制部１８１が設けられているが、開口部１５６より遊技機前方側に設けられていてもよい。例えば図２１（ｂ）では、球タンク１３２の底部１５３上方に規制部１９５が設けられている。かかる場合、規制部１９５の位置に対応して支持壁部１９６も遊技機前方へ延びている。また、規制部１９５と球タンク１３２の後側壁部１５４ｄとの間に隙間が形成されるため、当該隙間を通って遊技球が球タンク１３２から零れ落ちる可能性がある。よって、かかる不都合を防止するために、規制部１９５と後側壁部１５４ｄとの間に第２壁部１９７を設ける必要がある。但し、開口部１５６上方に設ける場合の方が、球タンク１３２の貯留量の点で、底部１５３上方に設ける場合よりも優れている。
【０１４２】
（ｂ−３）上記実施の形態では、規制部１８１は第１壁部１５５ａの一部を遊技機前方へオフセットさせることで形成されているが、これに限られない。例えば、規制部が別途設けられていてもよい。さらに、図２１（ｃ）に示すように別途設けられた規制部１９８に支持壁部１９９が設けられていてもよい。かかる場合、支持壁部１９９を底部として規制部１９８、第１壁部１５５ａ、第２壁部１５５ｂ及び第３壁部１５５ｃによって囲まれた球受領域２００が形成される。球受領域２００は遊技球を貯留することができる程度の大きさを有しているため、遊技球が規制部１９８を越えて開口部１５６へ流れ込む場合があったとしても、当該遊技球は球受領域２００内に取り込まれる。よって、遊技球が球タンク１３２から零れ落ちることが防止される。
【０１４３】
（ｂ−４）上記実施の形態では、規制部１８１と突出部１５５とが一体形成されているが、これを変更してもよい。例えば、図２１（ｄ）では、規制部２０１は支持壁部２０２を介して突出部１５５に着脱自在に取り付けられている。具体的には、規制部２０１の上端部に支持壁部２０２の一端部が配置されている。そして、支持壁部２０２の他端部と、第１壁部１５５ａの上端部に設けられた取り付け部２０３とがネジ２０４によって固定されている。ネジ２０４を取り外すことにより規制部２０１を簡単に取り外すことができるため、規制部２０１が着脱自在に取り付けられるようになっている。なお、かかる構成において規制部２０１及び支持壁部２０２は透明樹脂を用いることが好ましい。これにより、開口部１５６付近の様子を容易に確認することができる。
【０１４４】
（ｃ）上記実施の形態では、支持壁部１８３は規制部１８１の下端部に配置されているが、これに限られない。例えば、支持壁部１８３は第１壁部１５５ａの上端部から遊技機前方に向かって上り傾斜し、規制部１８１の上端部に配置されていてもよい。また、上記実施の形態では支持壁部１８３は規制部１８１及び第１壁部１５５ａに対して直交しているが、支持壁部１８３は傾斜していてもよいし、湾曲していてもよい。要は、規制部１８１の下端部と開口部１５６との位置関係と同様に、開口部１５６及び支持壁部１８３の距離が、タンクレール１３３の整列数分の遊技球が通過でき、かつその整列数分の遊技球よりも多い遊技球が通過できない距離となるように、開口部１５６及び支持壁部１８３の位置関係が設定されていればよい。具体的には、支持壁部１８３は開口部１５６上方に設けられているため、開口部１５６の遊技機前方側端部と支持壁部１８３との距離がタンクレール１３３の整列数分の遊技球が通過でき、かつ、それよりも多い遊技球は通過できないように、支持壁部１８３が形成されていればよい。例えば、タンクレール１３３の整列数が２列である場合、開口部１５６の遊技機前方側端部と支持壁部１８３との距離が遊技球２個分以上３個分未満であればよい。但し、支持壁部１８３と第１壁部１５５ａとが直交している場合の方が、支持壁部１８３が当該距離を確保しつつ湾曲して形成されている場合よりも、支持壁部１８３と第１壁部１５５ａとの隅角部に空間が形成される分、遊技球がタンクレール１３３へ向けて方向転換する際の逃げスペースを確保することができる点で優れている。
【０１４５】
（ｄ）上記実施の形態では、第１湾曲面１８４及び第２湾曲面１８５の曲率は同じ曲率になるように形成されているが、これに限られず、両者が異なる曲率で形成されていてもよい。但し、両者の曲率が同一である方が、両者の境界部に段差が形成されないため、遊技球は円滑に流れやすい。
【０１４６】
（ｅ）上記実施の形態では、センターフレーム７２の上部に役物装置７３が設けているが、これに限られない。例えば、役物装置７３を設けず、図柄表示装置７１に代えて大型の図柄表示装置が配置されていてもよい。かかる場合は、大型の図柄表示装置及びその制御装置等の一部が遊技盤６１とタンクレール１３３との間に配置される。
【０１４７】
（ｆ）上記実施の形態では、開口部１５６は、第１壁部１５５ａ、第２壁部１５５ｂ及び第３壁部１５５ｃの内壁面に沿って形成されているが、これに限られない。例えば、突出部１５５に球タンク１３２の底部１５３の最下流部に連続する底部を設け、底部の一部が開口していてもよい。また、開口部１５６は長方形に限らず円形でもよい。要は、少なくとも遊技球１個通過できる程度の大きさを有していればよい。
【０１４８】
（ｇ）上記実施の形態では、開口部１５６は突出部１５５に設けられていたが、これに限られず、例えば球タンク１３２の底部１５３に開口部１５６の少なくとも一部が設けられていてもよい。かかる場合、開口部１５６の下方にタンクレール１３３が配置されるため、タンクレール１３３の少なくとも一部が球タンク１３２の下方に配置される。
【０１４９】
（ｈ）上記実施の形態では、タンクレール１３３の誘導方向は遊技機幅方向としたがこれに限られない。また、球タンク１３２及びタンクレール１３３の誘導方向は異なるものとしたが、これに限られず、同一方向としてもよい。
【０１５０】
（ｉ）上記各実施の形態とは異なる他のタイプの弾球遊技機、例えば他の役物を備えたパチンコ機、アレンジボール機、雀球等の遊技機にも適用できる。
【０１５１】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０１５２】
（ｊ）以上詳述した各実施の形態における構成及び各別例における構成のそれぞれを任意に組み合わせた構成とすることも可能である。例えば、実施形態の構成と複数の別例を組み合わせてもよい。
【符号の説明】
【０１５３】
１０…遊技機としてのパチンコ機、２２…遊技機本体としての遊技機ベースユニット、２３…遊技機前面体としての遊技機前面ユニット、２４…裏パックユニット、６１…遊技盤、７１…図柄表示装置、７３…遊技機器としての役物装置、１００…フレームカバー、１０７…主制御装置、１２７…保護カバー部、１３２…球タンク、１３３…誘導通路部としてのタンクレール、１３４…上下通路ユニット、１３５…払出装置、１５５…突出部、１５６…開口部、１８１…規制部、１８２…当接面、１８３…支持壁部、１８４…第１湾曲面、１８５…第２湾曲面。
【図１】
2014131573.tif 000003
【図２】
2014131573.tif 000004
【図３】
2014131573.tif 000005
【図４】
2014131573.tif 000006
【図５】
2014131573.tif 000007
【図６】
2014131573.tif 000008
【図７】
2014131573.tif 000009
【図８】
2014131573.tif 000010
【図９】
2014131573.tif 000011
【図１０】
2014131573.tif 000012
【図１１】
2014131573.tif 000013
【図１２】
2014131573.tif 000014
【図１３】
2014131573.tif 000015
【図１４】
2014131573.tif 000016
【図１５】
2014131573.tif 000017
【図１６】
2014131573.tif 000018
【図１７】
2014131573.tif 000019
【図１８】
2014131573.tif 000020
【図１９】
2014131573.tif 000021
【図２０】
2014131573.tif 000022
【図２１】
2014131573.tif 000023